(57)【特許請求の範囲】
【請求項１】
箱状の本体３の第１室６内に、浴室内の空気を循環する循環用送風機８と、この循環用送風機８の吐出風を加温するヒータ１８を設け、
前記本体３の第２室７内に換気用送風機９を設け、
前記本体３に、換気用送風機９の吐出側と連続し屋外に連通した排気用ダクト２６と、浴室以外の部屋の給気口に連通し第２室７に開口した給気用ダクトを取付け、
前記本体３に、前記第２室７と、浴室内に開口する浴室用給気口を区画する横向きの仕切板を設け、
この仕切板に、前記換気用送風機９のケーシング胴２０の第１吸込口２３と対向した第２吸込口２７を形成したことを特徴とする複室対応型浴室換気乾燥機。
【請求項２】
前記浴室用吸込口２７の周縁に、換気用送風機９の吸込口２３に向う筒状部６０を設けて当該筒状部６０と前記吸込口２３との間に環状空間部６１を形成した請求項１記載の複室対応型浴室換気乾燥機。
【請求項３】
前記第２室７を２つの室に区画し、その区画した室に浴室以外の第１の部屋の給気口に連通した第１給気用ダクト４０、浴室以外の第２の部屋の給気口に連通した第２給気用ダクト４１をそれぞれ開口接続した請求項１又は２記載の複室対応型浴室換気乾燥機。
【請求項４】
前記横向きの仕切板と換気用送風機９のケーシング胴２０とに亘って第１遮蔽板７０と第２遮蔽板７１を取付けて換気用送風機９の吸込口２３を中央吸込部７２、一側吸込部７３、他側吸込部７４に区画し、
中央吸込部７２を浴室用吸込口２７に連通し、一側吸込部７３を前記第２室７の一方の室に連通し、他側吸込部７４を前記第２室７の他方の室に連通した請求項３記載の複室対応型浴室換気乾燥機。
【請求項５】
前記第２室７の他方の室と浴室以外の第２の部屋の給気口を連通、遮断する開閉装置３０を設けた請求項３又は４記載の複室対応型浴室換気乾燥機。
【請求項６】
前記開閉装置３０を、ダンパー用電動モータ３３でダンパー３１を開閉作動するものとし、このダンパー用電動機３３を、閉信号が入力されてから所定時間経過後に閉作動する制御手段を設けた請求項５記載の複室対応型浴室換気乾燥機。
【発明の詳細な説明】
【０００１】
【発明の属する技術分野】
本発明は、浴室を換気、暖房等すると共に、洗面所、トイレ等の浴室以外の部屋を換気する複室対応型浴室換気乾燥機に関する。
【０００２】
【従来の技術】
浴室換気乾燥機としては、箱状の本体内に循環用送風機と換気用送風機とヒータを設け、循環用送風機で浴室内の空気を循環すると共に、ヒータを発熱することで浴室内に温風を吹き出して暖房し、換気用送風機で浴室内の空気を屋外に排出して浴室内を換気するものが種々提案されている。
【０００３】
一方、最近の住宅においては断熱性や防音性を向上するために高気密化することが行なわれており、この高気密化に伴い水回りの設備のある浴室、洗面所、トイレの換気が必要となっている。
【０００４】
前述のように浴室、洗面所、トイレを換気するには各部屋に換気装置をそれぞれ取付ければ良いが、このようにすると３台の換気装置が必要となってコストが高くなるし、設置作業や配管（ダクト）作業が面倒となる。
【０００５】
このことに鑑み、前述の浴室換気乾燥機を利用してトイレや洗面所などの浴室以外の部屋を換気することが種々提案されている。例えば、前述の浴室換気乾燥機の換気用送風機の吸込側をダクトで洗面所やトイレに連通し、浴室と洗面所やトイレを同時に換気できるようにしたものが提案されている。
【０００６】
【発明が解決しようとする課題】
前述のように、浴室換気乾燥機の換気用送風機を利用して洗面所やトイレを換気するには、送風能力の大きな換気用送風機が必要となる。
【０００７】
つまり浴室換気乾燥機の本体は浴室の天井に取付けられ、その浴室換気乾燥機の本体の室内に換気用送風機が設けられ、その本体の室を下向きの浴室用の給気口で浴室内に直接的に開口連通している。一方、洗面所やトイレの給気口にダクトを連通し、そのダクトを浴室の天井の上（天井裏）から前記本体の室に連通している。
【０００８】
このために、浴室用の給気口からの空気吸込み方向は垂直方向で、ダクトによる洗面所やトイレからの空気吸込み方向は水平方向であるから、どちらか一方の空気吸込み方向を換気用送風機自身の吸込み方向と一致させると、他方の空気吸込み方向が９０度位相がずれるので、吸込み効率が低下し、その分だけ送風能力の大きな換気用送風機を必要とする。
【０００９】
そこで、本発明は前述の課題を解決できるようにした複室対応型浴室換気乾燥機を提供することを目的とする。
【００１０】
【課題を解決するための手段】
第１の発明は、箱状の本体３の第１室６内に、浴室内の空気を循環する循環用送風機８と、この循環用送風機８の吐出風を加温するヒータ１８を設け、
前記本体３の第２室７内に換気用送風機９を設け、
前記本体３に、換気用送風機９の吐出側と連続し屋外に連通した排気用ダクト２６と、浴室以外の部屋の給気口に連通し第２室７に開口した給気用ダクトを取付け、
前記本体３に、前記第２室７と、浴室内に開口する浴室用給気口を区画する横向きの仕切板を設け、
この仕切板に、前記換気用送風機９のケーシング胴２０の第１吸込口２３と対向した第２吸込口２７を形成したことを特徴とする複室対応型浴室換気乾燥機である。
【００１１】
第２の発明は、第１の発明において、浴室用吸込口２７の周縁に、換気用送風機９の吸込口２３に向う筒状部６０を設けて当該筒状部６０と前記吸込口２３との間に環状空間部６１を形成した複室対応型浴室換気乾燥機である。
【００１２】
第３の発明は、第１又は第２の発明において、第２室７を２つの室に区画し、その区画した室に浴室以外の第１の部屋の給気口に連通した第１給気用ダクト４０、浴室以外の第２の部屋の給気口に連通した第２給気用ダクト４１をそれぞれ開口接続した複室対応型浴室換気乾燥機である。
【００１３】
第４の発明は、第３の発明において、横向きの仕切板と換気用送風機９のケーシング胴２０とに亘って第１遮蔽板７０と第２遮蔽板７１を取付けて換気用送風機９の吸込口２３を中央吸込部７２、一側吸込部７３、他側吸込部７４に区画し、
中央吸込部７２を浴室用吸込口２７に連通し、一側吸込部７３を前記第２室７の一方の室に連通し、他側吸込部７４を前記第２室７の他方の室に連通した複室対応型浴室換気乾燥機である。
【００１４】
第５の発明は、第３又は第４の発明において、第２室７の他方の室と浴室以外の第２の部屋の給気口を連通、遮断する開閉装置３０を設けた複室対応型浴室換気乾燥機である。
【００１５】
第６の発明は、第５の発明における開閉装置３０を、ダンパー用電動モータ３３でダンパー３１を開閉作動するものとし、このダンパー用電動機３３を、閉信号が入力されてから所定時間経過後に閉作動する制御手段を設けた複室対応型浴室換気乾燥機である。
【００１６】
【作用】
第１の発明によれば、循環用送風機８によって浴室内の空気を循環できるし、ヒータ１８を発熱することで浴室内を暖房できる。
【００１７】
また、換気用送風機９で浴室内と、浴室以外の部屋を換気できるし、そのための排気用ダクト２６は１つであるから、その排気用ダクト２６の設置作業が簡単となるし、配置スペースを小さくできる。
【００１８】
また、浴室以外の部屋を換気する給気用ダクトは第２室７に開口し、その第２室７内の空気は換気用送風機９の吸込口２３から吸込みされる。また浴室内の空気は浴室用給気口、浴室用吸込口２７、この浴室用吸込口２７と相対向した第１吸込口２３で換気用送風機９内に効率良く吸込みされる。
【００１９】
このようであるから、浴室以外の部屋内の空気及び浴室内の空気は換気用送風機９で効率良く吸込みされて排気用ダクトで屋外に排出される。
【００２０】
したがって、浴室内と浴室以外の部屋内を送風能力の小さな１つの換気用送風機９で換気できる。
【００２１】
第２の発明によれば、浴室内の空気は浴室用吸込口２７、筒状部６０より第１吸込口２３に吸込みされるし、浴室以外の部屋の空気は第２室７、環状空間部６１より第１吸込口２３に吸込みされるので、浴室内の給気量と浴室以外の部屋の給気量は環状空間部６１の面積によって決定される。
【００２２】
したがって、環状空間部６１の面積を変えることで換気用送風機９による浴室内の換気と浴室以外の部屋の換気を、その室の大きさや、使用状態に応じて適切に行うことができる。
【００２３】
第３の発明によれば、１つの換気用送風機９で浴室内と浴室以外の２つの部屋を換気できる。
【００２４】
第４の発明によれば、浴室内の空気は中央吸込部７２を通って吸込みされ、浴室以外の第１の部屋内の空気は一側吸込部７３を通って吸込みされ、浴室以外の第２の部屋内の空気は他側吸込部７４を通って吸込みされるので、浴室内の給気量、浴室以外の第１の部屋の給気量、浴室以外の第２の部屋の給気量は前記各吸込部の面積で決定される。
【００２５】
したがって、各吸込部の面積を変えることで換気用送風機９による浴室内の換気、浴室以外の第１の部屋の換気、浴室以外の第２の部屋の換気を、それぞれの室の大きさや、使用状態に応じて適切に行なうことができる。
【００２６】
第５の発明によれば、第２室７の他方の室と浴室以外の第２の部屋の給気口を開閉装置３０で連通して換気用送風機９を駆動すれば浴室と浴室以外の第１の部屋と浴室以外の第２の部屋を換気できるし、遮断して換気用送風機９を駆動すれば浴室と浴室以外の第１の部屋を換気できる。換気用送風機９を停止した状態で第２室７の他方の室と浴室以外の第２の部屋の給気口を開閉装置３０で遮断すれば、浴室以外の第２の部屋が浴室以外の第１の部屋、浴室と不連続となる。
【００２７】
したがって、浴室以外の第２の部屋をトイレとした場合にトイレの音、臭気等が浴室、浴室以外の第１の部屋に伝わることがないし、浴室内の湿気がトイレに伝わることがない。
【００２８】
第６の発明によれば、浴室以外の第２の部屋をトイレとした場合に、トイレ使用後にダンバー３１は所定時間経過後に閉作動するので、トイレの残臭が排出される。
【００２９】
したがって、次にトイレを使用する時に不快を感じることがない。
【００３０】
【発明の実施の形態】
図１と図２に示すように、箱体１とグリル２とで箱状の本体３を形成している。この本体３内は縦向きの第１の仕切板４と横向きの第２の仕切板５とで第１室６と第２室７に区画してある。第１室６内には循環用送風機８が設けられ、第２室７内に換気用送風機９が設けてある。
【００３１】
前記循環用送風機８はケーシング胴１０内に羽根１１を設け、モータ１２で羽根１１を回転するように構成してある。ケーシング胴１０はベルマウスと呼ばれる吸込口１３と吐出口１４を有している。この吸込口１３は第１室６に開口し、前記吐出口１４は、前記グリル２の吹出口１７に連通した風路１５に開口している。
【００３２】
前記第１室６はグリル２の第１浴室用給気口１６で浴室Ａ内に開口している。風路１５はグリル２の吹出口１７で浴室Ａ内に開口している。この風路１５にはヒータ１８が設けてある。このようであるから、循環用送風機８を駆動することで浴室Ａ内の空気が循環し、ヒータ１８に通電して発熱することで浴室Ａ内の空気を吸込んで加熱して温風として再び浴室Ａ内に送風して浴室Ａ内を暖房する。
【００３３】
前記換気用送風機９はケーシング胴２０内に羽根２１を設け、モータ２２で羽根２１を回転する構成である。ケーシング胴２０はベルマウスと呼ばれる吸込口２３と吐出口２４を有し、その吸込口２３は第２室７に開口し、前記吐出口２４は排気用の風路２５を経て排気用ダクト２６に連通している。
【００３４】
前記横向きの第２の仕切板５にはベルマウスと呼ばれる浴室用吸込口２７が、前記換気用送風機９の吸込口２３と相対向して形成してある。この浴室用吸込口２７はグリル２の第２浴室用給気口２８で浴室Ａ内に開口している。
【００３５】
前記第２室７は図２と図３に示すように主第２室７ａと補助第２室７ｂに区画され、主第２室７ａは吸込口２３に開口し、補助第２室７ｂは連通口２９で主第２室７ａに連通している。この連通口２９は開閉装置３０で開閉される。
【００３６】
この開閉装置３０はダンパー３１と、ダンパー軸３２を回転するダンパー用電動モータ３３で構成され、ダンパー用電動モータ３３でダンパー軸３２を正逆回転することでダンパー３１が連通孔２９を開閉する。
【００３７】
前記主第２室７ａには第１給気用ダクト４０が開口接続し、補助第２室７ｂには第２給気用ダクト４１が開口接続している。第１給気用ダクト４０は浴室以外の第１部屋、例えば洗面所Ｂの給気口４２に連通し、第２給気用ダクト４１は浴室以外の第２部屋、例えばトイレＣの給気口４３に連通している。
【００３８】
このようであるから、換気用送風機９を駆動することで浴室Ａ内の空気と洗面所Ｂ内の空気とトイレＣの空気が吸込みされて排気用ダクト２６で屋外に排出され、前記換気用送風機９は３室を換気する換気用送風機となっている。
【００３９】
また、換気用送風機９を停止した時にダンパー３１で連通口２９を閉じることで、トイレＣの給気口４３が主第２室７ａと不連続となる。これによって、トイレＣの音、臭気が浴室Ａ、洗面所Ｂに伝わることがないし、浴室Ａの湿気がトイレＣに伝わることがない。
【００４０】
また、第２室７（主第２室７ａ）は換気用送風機９の吸込口２３に開口連通し、その吸気口２３と浴室用吸気口２７は同心状で相対向しているから、換気用送風機９で主第２室７ａの空気及び浴室Ａ内の空気を効率良く吸い込むことができる。これによって、浴室Ａ、洗面所Ｂ、トイレＣの空気を効率良く吸込んで屋外に排出できるので、浴室Ａ、洗面所Ｂ、トイレＣを送風能力の小さな１つの換気用送風機９で換気できる。
【００４１】
次に、操作装置の一例を説明する。
図４に示すように、浴室用操作ボックス４０は換気スイッチ５１、循環スイッチ５２、加温スイッチ５３を有している。洗面所用操作ボックス５４は換気スイッチ５５を有している。トイレ用操作ボックス５６は換気スイッチ５７を有している。前記各スイッチはコントローラ５８に接続し、このコントローラ５８でモータ１２、ヒータ１８、モータ２２、ダンパー用電動モータ３３に通電制御する。
【００４２】
換気スイッチ５１と換気スイッチ５５の一方をＯＮするとモータ２２に通電して換気用送風機９を駆動して浴室Ａ内の空気と洗面所Ｂ内の空気を屋外に排出して換気する。この時ダンパー３１は連通口２９を閉じている。
【００４３】
前記換気スイッチ５１と換気スイッチ５５の一方をＯＦＦするとモータ２２への通電を止めて換気用送風機９を停止する。
【００４４】
換気スイッチ５７をＯＮした時には、ダンパー用電動モータ３３に通電してダンパー３１を開作動し通気口２９を開放する。これとともにモータ２２に通電して換気用送風機９を駆動して浴室Ａ、洗面所Ｂ、トイレＣの空気をそれぞれ屋外に排出して換気する。
【００４５】
前述の換気スイッチ５７をＯＦＦすると、コントローラ５８は所定時間経過後にモータ２２への通電を止めて換気用送風機９を停止すると共に、ダンパー用電動モータ３３を駆動してダンパー３１を閉じ作動して連通口２９を閉じる。つまり、コントローラ５８が、閉信号が入力されてから所定時間経過後にダンパー用電動モータ３３を閉作動する制御手段となる。
【００４６】
また、前述のように浴室Ａと洗面所Ｂを換気している時に換気スイッチ５７をＯＮするとダンパー３１が開作動してトイレＣを換気する。この状態で換気スイッチ５７をＯＦＦすると、前述のようにコントローラ５８は所定時間経過後にダンパー用電動モータ３３を駆動してダンパー３１を閉じ作動して連通口２９を閉じる。
【００４７】
なお、コントローラ５８を用いずに各スイッチによって電源回路をＯＮ、ＯＦＦ又はリレーをＯＮ、ＯＦＦするようにしても良い。この場合には換気スイッチ５７をＯＦＦした時に作動する遅延タイマーを設けて閉信号が入力された後に所定時間経過したらダンパー用電動モータ３３を閉作動する制御手段とする。
【００４８】
このようであるから、トイレＣを使用した後に換気スイッチ５７をＯＦＦしても所定時間だけトイレＣを換気するので、トイレ内の残臭が屋外に排出される。
【００４９】
したがって、次にトイレＣ内に人が入った時に悪臭がなくトイレ使用者が不快となることがない。
【００５０】
図５は、換気用送風機９の吸込口部分の第２の実施の形態を示し、浴室用吸込口２７と連続して筒状部６０を換気用送風機９の吸込口２３に向けて設け、この筒状部６０の外周面と前記吸込口２３との間に環状空間部６１を形成し、第２室７内の空気が環状空間部６１より前記吸込口２３に流れるように構成する。
【００５１】
このように構成することで、環状空間部６１の開口面積によって浴室Ａからの給気量と第２室７（洗面所Ｂ、トイレＣ）からの給気量の比率が決定される。例えば環状空間部６１の開口面積を大きくすれば第２室７からの給気量が増加し、その分だけ浴室Ａからの給気量が減少する。環状空間部１６の開口面積を小さくすれば第２室７からの給気量が減少し、その分だけ浴室Ａからの給気量が増加する。
【００５２】
したがって、浴室Ａ、洗面所Ｂ、トイレＣの面積（必要換気量）に応じて環状空間部６１の開口面積（例えば、筒状部６０の長さ）を決定することで、浴室Ａ、洗面所Ｂ、トイレＣを効率良く換気できる。
【００５３】
図６と図７は、換気用送風機９の吸込口部分の第３の実施の形態を示し、横向きの第２の仕切板５とケーシング胴２０の下面２０ａ（吸込口２３部分）に亘って第１遮蔽板７０と第２遮蔽板７１を取付けて前記吸込口２３を中央吸込部７２と一側吸込部７３と他側吸込部７４に区画する。
【００５４】
前記中央吸込部７２は浴室用吸込口２７に開口連通し、一側吸込部７３は主第２室７ａに開口連通し、他側吸込部７４は補助第２室７ｂ側に開口連通している。つまり、第１・第２遮蔽板７０，７１は箱体１の両側壁まで連続する長さで、主第２室７ａを一側室７ａ−１と他側室７ａ−２に区画し、その一側室７ａ−１に前記第１給気用ダクト４０が連通し、他側室７ａ−２が連通口２９で補助第２室７ｂに連通している。
【００５５】
このように構成すれば、一側吸込部７３と他側吸込部７４の開口面積で第１給気用ダクト４０（洗面所Ｂ）からの給気量と第２給気用ダクト４１（トイレＣ）からの給気量の比率を必要換気量に応じて任意に設定できる。
【００５６】
図６と図７の場合には、一側吸込部７３の開口面積が小さく、他側開口部７４の開口面積が大きいので、第１給気用ダクト４０からの給気量が少なく、第２給気用ダクト４１からの給気量が多い。つまり、洗面所Ｂの必要換気量が少なく、トイレＣの必要換気量が多い場合に好適となる。
【００５７】
前記開閉装置３０は図８に示すように第２給気用ダクト４１に取付けても良い。具体的には第２給気用ダクト４１の上部寄りにダンパー用電動モータ３３を取付け、ダンパー３１は自重で閉作動するものとし、ダンパー用電動モータ３３に通電することでダンパー軸３２を回転してダンパー３１を開作動する構成としてある。
【００５８】
【発明の効果】
第１の発明によれば、循環用送風機８によって浴室内の空気を循環できるし、ヒータ１８を発熱することで浴室内を暖房できる。
【００５９】
また、換気用送風機９で浴室内と、浴室以外の部屋を換気できるし、そのための排気用ダクト２６は１つであるから、その排気用ダクト２６の設置作業が簡単となるし、配置スペースを小さくできる。
【００６０】
また、浴室以外の部屋を換気する給気用ダクトは第２室７に開口し、その第２室７内の空気は換気用送風機９の吸込口２３から吸込みされる。また浴室内の空気は浴室用給気口、浴室用吸込口２７、この浴室用吸込口２７と相対向した吸込口２３で換気用送風機９内に効率良く吸込みされる。
【００６１】
このようであるから、浴室以外の部屋内の空気及び浴室内の空気は換気用送風機９で効率良く吸込みされて排気用ダクトで屋外に排出される。
【００６２】
したがって、浴室内と浴室以外の部屋内を送風能力の小さな１つの換気用送風機９で換気できる。
【００６３】
第２の発明によれば、浴室内の空気は浴室用吸込口２７、筒状部６０より吸込口２３に吸込みされるし、浴室以外の部屋の空気は第２室７、環状空間部６１より吸込口２３に吸込みされるので、浴室内の給気量と浴室以外の部屋の給気量は環状空間部６１の面積によって決定される。
【００６４】
したがって、環状空間部６１の面積を変えることで換気用送風機９による浴室内の換気と浴室以外の部屋の換気を、その室の大きさや、使用状態に応じて適切に行うことができる。
【００６５】
第３の発明によれば、１つの換気用送風機９で浴室内と浴室以外の２つの部屋を換気できる。
【００６６】
第４の発明によれば、浴室内の空気は中央吸込部７２を通って吸込みされ、浴室以外の第１の部屋内の空気は一側吸込部７３を通って吸込みされ、浴室以外の第２の部屋内の空気は他側吸込部７４を通って吸込みされるので、浴室内の給気量、浴室以外の第１の部屋の給気量、浴室以外の第２の部屋の給気量は前記各吸込部の面積で決定される。
【００６７】
したがって、各吸込部の面積を変えることで換気用送風機９による浴室内の換気、浴室以外の第１の部屋の換気、浴室以外の第２の部屋の換気を、それぞれの室の大きさや、使用状態に応じて適切に行なうことができる。
【００６８】
第５の発明によれば、第２室７の他方の室と浴室以外の第２の部屋の給気口を開閉装置３０で連通して換気用送風機９を駆動すれば浴室と浴室以外の第１の部屋と浴室以外の第第２の部屋を換気できるし、遮断して換気用送風機９を駆動すれば浴室と浴室以外の第１の部屋を換気できる。換気用送風機９を停止した状態で第２室７の他方の室と浴室以外の第２の部屋の給気口を開閉装置３０で遮断すれば、浴室以外の第２の部屋が浴室以外の第１の部屋、浴室と不連続となる。
【００６９】
したがって、浴室以外の第２の部屋をトイレとした場合にトイレの音、臭気等が浴室、浴室以外の第１部屋に伝わることがないし、浴室内の湿気がトイレに伝わることがない。
【００７０】
第６の発明によれば、浴室以外の第２の部屋をトイレとした場合に、トイレ使用後にダンバー３１は所定時間経過後に閉作動するので、トイレの残臭が排出される。
【００７１】
したがって、次にトイレを使用する時に不快を感じることがない。
【図面の簡単な説明】
【図１】  本発明の実施の形態を示す浴室換気乾燥機の断面図である。
【図２】  図１の平面図である。
【図３】  図２のＤ−Ｄ断面図である。
【図４】  制御回路図である。
【図５】  換気用送風機の吸込口部分の第２の実施の形態を示す断面図である。
【図６】  換気用送風機の吸込口部分の第３の実施の形態を示す断面図である。
【図７】  図６のＥ−Ｅ断面図である。
【図８】  開閉装置の取付けの他の例を示す断面図である。
【符号の説明】
３…本体、５…横向きの仕切板、６…第１室、７…第２室、８…循環用送風機、９…換気用送風機、１６…第１浴室用換気口、１７…吐出口、１８…ヒータ、２０…ケーシング胴、２３…吸込口、２６…排気用ダクト、２７…浴室用吸込口、２８…第２浴室用給気口、３０…開閉装置、３１…ダンパー、３３…ダンパー用電動モータ、４０…給気用ダクト、４１…第２給気用ダクト、５１…換気スイッチ、５５…換気スイッチ、５７…換気スイッチ、５８…コントローラ、６０…筒状部、６１…環状空間部、７０…第１遮蔽板、７１…第２遮蔽板、７２…中央吸込部、７３…一側吸込部、７４…他側吸込部。
【図１】
0003879077.tif 000002
【図２】
0003879077.tif 000003
【図３】
0003879077.tif 000004
【図４】
0003879077.tif 000005
【図５】
0003879077.tif 000006
【図６】
0003879077.tif 000007
【図７】
0003879077.tif 000008
【図８】
0003879077.tif 000009